(57)【要約】【課題】  ナットや袋ナットによる配管接続方法は狭小なスペースでの作業性が悪く、また管に捻りが生じるなど課題がある。【解決手段】  排水口等の接続口に排水管等の管を接続するための構造であって、前記接続口の外周にフランジを設ける一方、前記接続口に水密に挿入可能な筒状の接続部と、この接続部と同軸状に一体成形される筒状の管固定部とからなる本体から迫り出して、該接続部の前記接続口に対する挿入時に前記フランジに弾性的に係合する爪部を設けた。また、爪部は少なくとも本体の直径方向に一対に設けられる。さらに爪部は本体の管固定部側にその弾性力に抗してフランジとの係合を解除可能な爪拡開用ツマミを有する。さらにまた、フランジまたは／および爪部は、前記爪がフランジに進入する側の角を面取りをする。【選択図】        図１
2005083092.tif 000002
【特許請求の範囲】
【請求項１】
排水口等の接続口に排水管等の管を接続するための構造であって、前記接続口の外周にフランジを設ける一方、前記接続口に水密に挿入可能な筒状の接続部と、この接続部と同軸状に一体成形される筒状の管固定部とからなる本体から迫り出して、該接続部の前記接続口に対する挿入時に前記フランジに弾性的に係合する爪部を設けたことを特徴とする配管用ワンタッチ継手構造。
【請求項２】
爪部は少なくとも本体の直径方向に一対に設けられる請求項１記載の配管用ワンタッチ継手構造。
【請求項３】
爪部は本体の管固定部側にその弾性力に抗してフランジとの係合を解除可能な爪拡開用ツマミを有する請求項１または２記載の配管用ワンタッチ継手構造。
【請求項４】
フランジまたは／および爪部は、前記爪がフランジに進入する側の角を面取りした請求項１、２または３記載の配管用ワンタッチ継手構造。
【請求項５】
爪部の爪拡開用ツマミまたは／および本体の管固定部に爪部の拡開時に両者が当接する爪拡開規制用の肉厚部を設けた請求項１から４のうち何れか一項記載の配管用ワンタッチ継手構造。
【請求項６】
接続部の外周にはシールリングを設けた請求項１から５のうち何れか一項記載の配管用ワンタッチ継手構造。
【発明の詳細な説明】
【技術分野】
【０００１】
この発明は、管接続に利用する配管用継手に係り、ワンタッチで接続可能な構造に関するものである。
【背景技術】
【０００２】
図３は、従来公知の排水トラップを示したものであり、その排水口２０は雄ネジ構造２１を有する。こうした排水口２０に排水管を接続する場合、従来は概ね二つの手段を用いていた。その一つは、前記雄ネジ構造２１と螺合するナットに排水管を一体的に結合したものである。また、他の一つは、排水口２０に水密に挿入可能な筒状接続部に排水管を適宜手段により固着し、且つ、前記接続部の外周に位置して前記雄ネジ構造２１と螺合可能な袋ナットを備えたものである。
【発明の開示】
【発明が解決しようとする課題】
【０００３】
ところで、通常の配管工事では屋内側の配管接続を最後に行うため、排水管の屋外側は既に固定されていることになる。しかしながら、上述した従来の技術のうち、前者はナットと排水管を一体的に結合しているため、ナットの雄ネジ構造２１に対する螺合時に排水管が共回りしてしまい、排水管をフレキシブル管により構成しようとも、その捻りには限界があるから、ナットの螺合作業を円滑に進めることができないという課題がある。
【０００４】
一方、後者の従来技術によれば、実質上、袋ナットと排水管が別個独立しており、袋ナットの螺合時に排水管が共回りすることはない。しかしながら、その接続作業にあっては、先ず、排水管を固着した接続部を排水口２０に挿入し、この状態のまま、袋ナットを螺合しなければならず、シンク下という非常に狭小なスペースで当該接続作業を行うことは困難であった。
【０００５】
上述した課題は排水トラップについてのものであるが、ナットや袋ナットによる配管接続方法はその他多岐に亘り、それら全ても同じ課題を残している。本発明はこうした課題を解決するためになされたものであり、その目的とするところは、接続口に対して簡便に配管接続を行うことができる配管用ワンタッチ継手構造を開示することである。
【課題を解決するための手段】
【０００６】
上述した目的を達成するために本発明では、排水口等の接続口に排水管等の管を接続するための構造であって、前記接続口の外周にフランジを設ける一方、前記接続口に水密に挿入可能な筒状の接続部と、この接続部と同軸状に一体成形される筒状の管固定部とからなる本体から迫り出して、該接続部の前記接続口に対する挿入時に前記フランジを乗り越えるように拡開し、且つ、前記挿入完了時に前記フランジに弾性的に係合する爪部を設けるという手段を用いた。本体は全体として筒状であって、その前方を接続対象である排水口等の接続口との接続部とし、これと連続してその後方を管を固定する管固定部としている。接続部は適当な水密構造によって接続口に水密に挿入され、また管固定部には接着等の適当な手段によって管が固定され、当該本体を介して管と接続対象先の接続口との通水等の連通を行う。爪部はフランジに係合可能であって、当該係合時に管接続が完了するのであるが、その係合は本体接続部を接続口に挿入するという単純な作業で完了する。即ち、本体接続部を接続部に挿入する動作によって、爪部はフランジを乗り越えるように弾性的に拡開し、フランジを乗り切ったとき、その弾性力により瞬時に元の状態に復元し、フランジと係合するワンタッチ接続の作用を行うのである。なお、本発明において、その用途は排水トラップの排水口に排水管を接続することを例示できるが、その適用はこれに限定するものではない。
【０００７】
爪部の数は少なくとも一対あることが必要であるが、より高い接続力を得る（不用意な係合解除を防止する）ためには３組以上とすることも可能である。なお、本体の直径方向に対向するように一対の爪部を備えたものにあっては、構成を簡易としつつ、一定の接続力をもって確実な接続効果が得られる。
【０００８】
爪部は一度フランジと係合すると管の引き抜き方向に対しては拡開せず、その係合状態が不用意に解除されることはない。これは、いわゆるはめ殺しの状態とすることを意味するが、その後のメンテナンス等で管を取り外す便宜を考慮すれば、爪部は本体の管固定部側にその弾性力に抗してフランジとの係合を解除可能な爪拡開用ツマミを有することが好ましい。つまり、この手段では、爪部と爪拡開用ツマミが一体的に構成され、その中途を本体との結合部として、爪拡開用ツマミに内向きの力を加えることによって、該爪拡開用ツマミを力点、前記結合部を支点、爪部を作用点として、テコの原理により、その弾性力に抗して爪部を拡開し、フランジとの係合を解除することができる。
【０００９】
これに対して、フランジまたは／および爪部は、前記爪がフランジに進入する側の角を面取りすることによって、爪部がフランジを乗り越え易くなり、比較的簡単にワンタッチ接続を行うことができる。
【００１０】
一方、爪部の爪拡開用ツマミまたは／および本体の管固定部に爪部の拡開時に両者が当接する爪拡開規制用の肉厚部を設けることによって、爪部が過度に開くことを抑制でき、過度な拡開による爪部と本体との結合部の折損等を防止することができる。なお、この爪拡開規制用の肉厚部は爪部のフランジに対する係合を阻止するものでないことはもちろんである。
【００１１】
なお、接続完了時における本体接続部と接続口との水密性は適当な手段によって達成することができるが、接続部の外周にＯリング等のシールリングを周設することが簡便である。
【発明の効果】
【００１２】
以上説明した通り本発明では、排水口等の接続口に排水管等の管を接続するための構造であって、前記接続口の外周にフランジを設ける一方、前記接続口に水密に挿入可能な筒状の接続部と、この接続部と同軸状に延成される筒状の管固定部とからなる本体の前記接続部側に、該接続部を前記接続口に挿入するとき前記フランジに弾性的に係合する爪部を設けたので、本体接続部を接続口に挿入するという作業だけで爪部がフランジに係合し、いわゆるワンタッチで配管接続を完了することができるから、狭小なスペースでも楽に作業ができ、しかも工具も必要なく、さらに管に捻りなどの無理な力が加わることもない。
【００１３】
また、爪部を少なくとも本体の直径方向に一対に設けたものにあっては、もっと簡易な構成でワンタッチ継手構造を構成することができる。
【００１４】
さらに、爪部に本体の管固定部側にその弾性力に抗してフランジとの係合を解除可能な爪拡開用ツマミを延成することによって、接続口からの管取り外し作業も行え、その後のメンテナンス等の便宜にも供する。
【００１５】
また、フランジまたは／および爪部の先端を係合方向にテーパ状に形成することによって、接続部の挿入時に爪部がフランジを乗り越え易くなり、より小さな力でワンタッチ接続を行うことができる。
【００１６】
さらに、爪部の爪拡開用ツマミまたは／および本体の管固定部に爪部の拡開時に両者が当接する爪拡開規制用の肉厚部を設けることによって、爪部の過度な拡開が抑制され、爪部の不用意な破損等を防止することができる。
【００１７】
さらにまた、接続部の外周にシールリングを設けることによって、簡単な構成で接続口と接続部の水密性を確保することができる。
【発明を実施するための最良の形態】
【００１８】
以下、本発明の好ましい実施の形態を添付した図面に従って説明する。図１は図３に示した排水トラップＴに本発明の配管用ワンタッチ継手構造１０を適用したところを示したものである。この排水トラップＴは上述した従来公知のものとほぼ同一の構造であって、ゴミ収容本体２３の底面に円筒形の排水口２０を一体成形すると共に、該排水口２０の外周には一定長に亘り雄ネジ２１が刻設されている。そして、本発明では、雄ネジ２１の奥側に位置してフランジ２２を周設している。なお、この排水トラップＴでは、ゴミ収容本体２３の側面にも前記排水口２０同一構造のものが形成されているが、ここでは底面側排水口２０に対する適用について説明する。
【００１９】
図１における配管用ワンタッチ継手構造１０は、図２に詳細に示したように、本体１１からその直径方向に一対の爪部１２を迫り出してなる。本体１１は排水口２０に水密に挿入可能な筒状接続部１３と筒状管固定部１４とを同軸状に一体成形してなる。本体接続部１３は、その外周に溝１４が周設され、該溝１４にＯリングなどのシールリング１５が設けられている。また、本体管固定部１４には管Ｐが挿入固定され、接着等の適宜手段により管Ｐが固着されている。
【００２０】
爪部１２は、先端を内向きにほぼ９０度折曲し、排水口２０のフランジ２２に係合可能な爪１を設けた略棒状からなり、その中途を結合部２によって本体１１に連結した構成である。より詳しくは、結合部２は排水口２０の雄ネジ２１の歯高よりも長く設定され、爪部１２の結合部２よりも前方は本体接続部１３と平行して、爪１が常態でフランジ２２と係合する姿勢とする一方、結合部２よりも後方は拡開し、この拡開部分を爪拡開用ツマミ３として機能させる。つまり、当該構成の爪部１２によれば、爪拡開用ツマミ３に内向きの力を加えることによって、当該ツマミ３を力点、結合部２を支点、爪１を作用点として、テコの原理により爪１を拡開することができる。
【００２１】
以上の構成により、本体接続部１３をトラップ排水口２０に挿入する作業によって、爪１がフランジ２２を乗り越えるように爪部１２が弾性的に拡開し、乗り切った瞬時に爪１が元の状態に弾性復元してフランジ２２と係合する。このときの爪部１２の弾性拡開は上述した爪拡開用ツマミ３を操作することによって行うこともできるが、当該操作なしで、より簡便に上記係合（配管接続）を達成するために、本実施形態では次のような構成を採用している。即ち、爪１とフランジ２２の爪１がフランジ２２に対して進入する側の角（両者の係合角とは反対側の角）を面取りしているのである。これにより、爪拡開用ツマミ３を操作せずとも、本体接続部１３の挿入作業だけで、爪１とフランジ２２に滑りが発生し、爪１がフランジ２２を乗り越え易くなり、いわゆるワンタッチ接続をより完全に達成することができる。なお、当該面取り１ａ・２２ａは爪１・フランジ２２の何れか一方にだけ設けることも有効である。
【００２２】
一方、爪１は所謂はめ殺しの状態でフランジ２２に係合するものであるが、その後のメンテナンス等を行う場合は、当該係合を解除し、管Ｐの取り外しを行うことがある。この場合、上述したように爪拡開用ツマミ３を内向きに押圧することで、テコの原理により爪１が拡開し、フランジ２２との係合を解除することができるのであるが、この実施形態の場合、爪拡開用ツマミ３は外向きに拡開したものであるため、内向きへの移動量が大きく、その全範囲でツマミ３を内向きに押圧すると結合部２が破損するおそれがある。そこで、この実施形態では、本体１１の結合部２よりも管固定部１４側に、ツマミ３が当接する突起状の肉厚部１６を形成し、ツマミ３による爪１の拡開を規制している。ただし、当該肉厚部１６による爪拡開規制機能が、爪１とフランジ２２の係合解除を妨げるものではないことはもちろんである。また、前記肉厚部１６はツマミ３の内側に突出して設けてもよい。
【００２３】
なお、この実施形態では、二組の爪部１２を本体１１の直径方向に一対に設けることとしたが、これはもっと簡易な構成で本発明の目的を達成するためであって、爪部１２は三つ以上であってもよい。また、その配置も自由であるが、等間隔に設けることが好ましい。さらに、その適用例も排水トラップの排水口に限らず、フランジを有する接続口に広く適用できることはもちろんである。
【図面の簡単な説明】
【００２４】
【図１】本発明の実施形態に係る配管用ワンタッチ継手構造を排水トラップに適用した説明図
【図２】上記配管用ワンタッチ継手構造の詳細を示した一部断面図
【図３】従来の排水トラップを示した一部断面図
【符号の説明】
【００２５】
１  爪
２  結合部
３  爪拡開用ツマミ
１１  本体
１２  爪部
１３  接続部
１４  管固定部
２２  フランジ
【図１】
2005083092.tif 000003
【図２】
2005083092.tif 000004
【図３】
2005083092.tif 000005